(57)【特許請求の範囲】
【請求項１】
駐車場内へ入場しようとする車両に載せられている駐車料金支払用の無線ＩＤカードのメモリに、車両入場時刻記録を書き込む機能と、駐車場外へ出場しようとする車両に載せられている無線ＩＤカードのメモリを読み取って車両入場時刻から現時点までの積算駐車料金以上の残高がメモリに記録されているか否かを判定する機能と、駐車場外へ出場しようとする車両に載せられている無線ＩＤカードのメモリに、駐車料金を差し引いた残高記録を書き込む機能と、積算駐車料金以上の残高記録が無線ＩＤカードのメモリにない場合に、積算駐車料金に対する不足分を出場精算機を介して駐車場利用者に告知する機能とを有する駐車料金収受制御器を備えた時間貸有料駐車場において、駐車場利用者が車外に持ち出した無線ＩＤカードのメモリを読み取って現時点での積算駐車料金以上の残高がメモリに記録されているか否かを判定する機能と、現時点での積算駐車料金以上の残高記録が無線ＩＤカードのメモリにない場合に、不足する料金を駐車場利用者に告知し且つ現金と未使用の他の無線ＩＤカードとのいずれかにより精算を行うのかの選択を告知する機能と、駐車場利用者が投入する現金により現時点での積算駐車料金に対する不足分を収受して事前精算完了記録を無線ＩＤカードのメモリに書き込む機能と、駐車場利用者が新たに差し出す他の無線ＩＤカードから現時点での積算駐車料金に対する不足分を収受して当該無線ＩＤカードのメモリに現時点での積算駐車料金の不足分を差し引いた残高記録を書き込み且つ事前精算完了記録を先に差し出されている無線ＩＤカードのメモリに書き込む機能とを有する事前精算機を、駐車場の利用者通路に設置したことを特徴とする時間貸有料駐車場。
【請求項２】
駐車場内へ入場しようとする車両に載せられている駐車料金支払用の無線ＩＤカードのメモリに、車両入場時刻記録を書き込む機能と、駐車場外へ出場しようとする車両に載せられている無線ＩＤカードのメモリを読み取って車両入場時刻から現時点までの積算駐車料金以上の残高がメモリに記録されているか否かを判定する機能と、駐車場外へ出場しようとする車両に載せられている無線ＩＤカードのメモリに、駐車料金を差し引いた残高記録を書き込む機能と、積算駐車料金以上の残高記録が無線ＩＤカードのメモリにない場合に、積算駐車料金に対する不足分を出場精算機を介して駐車場利用者に告知する機能とを有する駐車料金収受制御器を備えた時間貸有料駐車場において駐車場利用者が車外に持ち出した無線ＩＤカードのメモリを読み取って現時点での積算駐車料金以上の残高がメモリに記録されているか否かを判定する機能と、現時点での積算駐車料金以上の残高記録が無線ＩＤカードのメモリにない場合に、不足する料金を駐車場利用者に告知し且つ現金と未使用の他の無線ＩＤカードとのいずれかにより精算を行うのかの選択を告知する機能と、駐車場利用者が投入する現金により現時点での積算駐車料金に対する不足分を収受して収受料金を加えた残高記録を無線ＩＤカードのメモリに書き込む機能と、駐車場利用者が新たに差し出す他の無線ＩＤカードから現時点での積算駐車料金に対する不足分を収受して当該無線ＩＤカードのメモリに現時点での積算駐車料金の不足分を差し引いた残高記録を書き込み且つ事前精算完了記録を先に差し出されている無線ＩＤカードのメモリに書き込む機能とを有する事前精算機を、駐車場の利用者通路に設置したことを特徴とする時間貸有料駐車場。
【請求項３】
駐車場利用者が投入する料金免除券に応じて事前精算完了記録を無線ＩＤカードのメモリに書き込む機能を、事前精算機に付加した請求項１あるいは請求項２のいずれかに記載の時間貸有料駐車場。
【発明の詳細な説明】
【０００１】
【発明の属する技術分野】
本発明は時間貸有料駐車場に関するものである。
【０００２】
【従来の技術】
近年、無線通信によって記録の読み取り及び書き込みが可能なメモリを有するプリペイド方式の無線ＩＤカードを用いて、時間貸有料駐車場の駐車料金の収受を行うことが提案されている。
【０００３】
図２は無線ＩＤカードを用いた時間貸有料駐車場の一例を示すもので、この時間貸有料駐車場は、車両入場通路１に設置した遮断機方式の入場ゲート２と、該入場ゲート２の手前側に車両進行方向に間隔を隔てて順に設けた入場側アンテナ３及び駐車券の発券機４と、車両出場通路５に設置した遮断機方式の出場ゲート６と、該出場ゲート６の手前側に車両進行方向に間隔を隔てて順に設けた出場側アンテナ７及び駐車券の出場精算機８と、駐車場管理室９に設置した駐車料金収受制御器１０と、車両入場通路１に付帯する車両検出器１１，１２，１３，１４と、車両出場通路５に付帯する車両検出器１５，１６，１７，１８とを備えている。
【０００４】
なお、図２において、１９はプリペイド方式の無線ＩＤカード、２０は車両を示している。
【０００５】
車両入場通路１の車両検出器１１は、入場側アンテナ３よりも車両進行方向手前側に設置され、また、車両検出器１２，１３，１４は、入場側アンテナ３、発券機４、入場ゲート２に応じた位置に設置されている。
【０００６】
車両出場通路５の車両検出器１５は、出場側アンテナ７よりも車両進行方向手前側に設置され、また、車両検出器１６，１７，１８は、出場側アンテナ７，出場精算機８、出場ゲート６に応じた位置に設置されている。
【０００７】
駐車料金収受制御器１０は、上記の車両検出器１１，１２，１３，１４，１５，１６，１７，１８による車両２０の位置検出に基づき、入場ゲート２、入場側アンテナ３、発券機４、出場ゲート６、出場側アンテナ７及び駐車券の出場精算機８を作動させ、無線ＩＤカード１９からの駐車料金の収受、あるいは、現金による駐車料金の収受を行うように構成されている。
【０００８】
図２に示す時間貸有料駐車場では、車両入場通路１の車両検出器１１が車両２０の通過を検出すると、入場側アンテナ３が稼働状態に設定される。
【０００９】
これにより、駐車料金収受制御器１０が入場側アンテナ３を介して、車両２０の無線ＩＤカード１９の有無を確認し、また、無線ＩＤカード１９のメモリを読み取って、残高がメモリに記録されているか否かを判定し、また、当該無線ＩＤカード１９が盗難リストなどに記録されていないかを判定する。
【００１０】
車載の無線ＩＤカード１９のメモリに上記の条件に相当する残高が記録されていると、駐車料金収受制御器１０から入場側アンテナ３を介して無線ＩＤカード１９のメモリに、車両２０の入場時刻記録が書き込まれる。
【００１１】
次いで、車両検出器１２が車両２０の通過を検出すると、入場側アンテナ３が休止状態に設定され、また、駐車料金収受制御器１０によって入場ゲート２が開放され、車両２０が入場ゲート２の直前で停止せずに駐車場内へ入場可能な状態になる。
【００１２】
更に、車両検出器１４が車両２０の通過を検出すると、駐車料金収受制御器１０によって入場ゲート２が閉止される。
【００１３】
無線ＩＤカード１９が車載されていない場合、あるいは、無線ＩＤカード１９のメモリに基本駐車料金以上の残高が記録されていない場合には、車両検出器１２が車両２０の通過を検出しても入場ゲート２は開放されず、車両検出器１３が入場ゲート２の手前での車両２０の停止を検出すると、駐車料金収受制御器１０が発券機４を作動させ、該発券機４の告知機能により、車両２０に乗車している駐車場利用者に対して、駐車券を受け取ることが促される。
【００１４】
発券機４から駐車券が発券されると、駐車料金収受制御器１０によって入場ゲート２が開放され、車両２０が駐車場内へ入場可能な状態になり、車両検出器１４が車両２０の通過を検出すると、駐車料金収受制御器１０によって入場ゲート２が閉止される。
【００１５】
また、車両出場通路５の車両検出器１５が車両２０の通過を検出すると、出場側アンテナ７が稼働状態に設定される。
【００１６】
これにより、駐車料金収受制御器１０が出場側アンテナ７を介して、車両２０の無線ＩＤカード１９の有無を確認し、また、無線ＩＤカード１９のメモリを読み取って、少くとも入場時刻から現時点までの積算駐車料金以上の残高がメモリに記録されているか否かを判定する。
【００１７】
車載の無線ＩＤカード１９のメモリに上記の条件に相当する残高が記録されていると、駐車料金収受制御器１０から出場側アンテナ７を介して無線ＩＤカード１９のメモリに、駐車時間料金を差し引いた残高記録が書き込まれる。
【００１８】
次いで、車両検出器１６が車両２０の通過を検出すると、出場側アンテナ７が休止状態に設定され、また、駐車料金収受制御器１０によって出場ゲート６が開放され、車両２０が出場ゲート６の直前で停止せずに駐車場外へ出場可能な状態になる。
【００１９】
更に、車両検出器１８が車両２０の通過を検出すると、駐車料金収受制御器１０によって出場ゲート６が閉止される。
【００２０】
無線ＩＤカード１９が車載されていない場合には、車両検出器１６が車両２０の通過を検出しても入場ゲート２は開放されず、車両検出器１７が出場ゲート６の手前での車両２０の停止を検出すると、駐車料金収受制御器１０が出場精算機８を作動させ、該出場精算機８の告知機能により、車両２０に乗車している駐車場利用者に対して、駐車券を出場精算機８に挿入することが促され、次いで、積算駐車料金に応じた現金を出場精算機８に投入することが促される。
【００２１】
また、無線ＩＤカード１９のメモリに入場時刻から現時点までの積算駐車料金以上の残高が記録されていない場合には、車両検出器１６が車両２０の通過を検出しても入場ゲート２は開放されず、車両検出器１７が出場ゲート６の手前での車両２０の停止を検出すると、駐車料金収受制御器１０が出場精算機８を作動させ、該出場精算機８の告知機能により、車両２０に乗車している駐車場利用者に対して、積算駐車料金の不足分に応じた現金を出場精算機８に投入することが促される。
【００２２】
出場精算機８によって駐車料金の精算が完了すると、駐車料金収受制御器１０によって出場ゲート６が開放され、車両２０が駐車場外へ出場可能な状態になり、車両検出器１４が車両２０の通過を検出すると、駐車料金収受制御器１０によって出場ゲート６が閉止される。
【００２３】
【発明が解決しようとする課題】
しかしながら、図２に示す時間貸有料駐車場においては、入場時刻から現時点までの積算駐車料金以上の残高記録が無線ＩＤカード１９のメモリにない場合には、出場精算機８によって駐車料金の精算を行う必要が生じ、車両２０を無停車で駐車場外へ出場させることができなくるため、駐車料金の収受手段に無線ＩＤカード１９を用いた利点が薄れてしまう。
【００２４】
本発明は上述した実情に鑑みてなしたもので、時間貸有料駐車場の料金収受手段に用いられる無線ＩＤカードの利点を充分に活用できるようにすることを目的としている。
【００２５】
【課題を解決するための手段】
上記目的を達成するため、本発明の請求項１に記載の時間貸有料駐車場では、駐車場内へ入場しようとする車両に載せられている駐車料金支払用の無線ＩＤカードのメモリに、車両入場時刻記録を書き込む機能と、駐車場外へ出場しようとする車両に載せられている無線ＩＤカードのメモリを読み取って車両入場時刻から現時点までの積算駐車料金以上の残高がメモリに記録されているか否かを判定する機能と、駐車場外へ出場しようとする車両に載せられている無線ＩＤカードのメモリに、駐車料金を差し引いた残高記録を書き込む機能と、積算駐車料金以上の残高記録が無線ＩＤカードのメモリにない場合に、積算駐車料金に対する不足分を出場精算機を介して駐車場利用者に告知する機能とを有する駐車料金収受制御器を備えた時間貸有料駐車場において、駐車場利用者が車外に持ち出した無線ＩＤカードのメモリを読み取って現時点での積算駐車料金以上の残高がメモリに記録されているか否かを判定する機能と、現時点での積算駐車料金以上の残高記録が無線ＩＤカードのメモリにない場合に、不足する料金を駐車場利用者に告知し且つ現金と未使用の他の無線ＩＤカードとのいずれかにより精算を行うのかの選択を告知する機能と、駐車場利用者が投入する現金により現時点での積算駐車料金に対する不足分を収受して事前精算完了記録を無線ＩＤカードのメモリに書き込む機能と、駐車場利用者が新たに差し出す他の無線ＩＤカードから現時点での積算駐車料金に対する不足分を収受して当該無線ＩＤカードのメモリに現時点での積算駐車料金の不足分を差し引いた残高記録を書き込み且つ事前精算完了記録を先に差し出されている無線ＩＤカードのメモリに書き込む機能とを有する事前精算機を、駐車場の利用者通路に設置している。
【００２６】
また、請求項２に記載の時間貸有料駐車場では、駐車場内へ入場しようとする車両に載せられている駐車料金支払用の無線ＩＤカードのメモリに、車両入場時刻記録を書き込む機能と、駐車場外へ出場しようとする車両に載せられている無線ＩＤカードのメモリを読み取って車両入場時刻から現時点までの積算駐車料金以上の残高がメモリに記録されているか否かを判定する機能と、駐車場外へ出場しようとする車両に載せられている無線ＩＤカードのメモリに、駐車料金を差し引いた残高記録を書き込む機能と、積算駐車料金以上の残高記録が無線ＩＤカードのメモリにない場合に、積算駐車料金に対する不足分を出場精算機を介して駐車場利用者に告知する機能とを有する駐車料金収受制御器を備えた時間貸有料駐車場において駐車場利用者が車外に持ち出した無線ＩＤカードのメモリを読み取って現時点での積算駐車料金以上の残高がメモリに記録されているか否かを判定する機能と、現時点での積算駐車料金以上の残高記録が無線ＩＤカードのメモリにない場合に、不足する料金を駐車場利用者に告知し且つ現金と未使用の他の無線ＩＤカードとのいずれかにより精算を行うのかの選択を告知する機能と、駐車場利用者が投入する現金により現時点での積算駐車料金に対する不足分を収受して収受料金を加えた残高記録を無線ＩＤカードのメモリに書き込む機能と、駐車場利用者が新たに差し出す他の無線ＩＤカードから現時点での積算駐車料金に対する不足分を収受して当該無線ＩＤカードのメモリに現時点での積算駐車料金の不足分を差し引いた残高記録を書き込み且つ事前精算完了記録を先に差し出されている無線ＩＤカードのメモリに書き込む機能とを有する事前精算機を、駐車場の利用者通路に設置している。
【００２７】
本発明の請求項３に記載の時間貸有料駐車場では、本発明の請求項１あるいは請求項２のいずれかに記載の時間貸有料駐車場の構成に加えて、現時点の積算駐車料金の残高に駐車場利用者が投入する料金免除券に応じて事前精算完了記録を無線ＩＤカードのメモリに書き込む機能を、事前精算機に付加している。
【００２９】
本発明の請求項１乃至請求項３に記載の時間貸有料駐車場のいずれにおいても、駐車場利用者が事前精算機に対して無線ＩＤカードを差し出すと、事前精算機が、入場時刻から現時点までの積算駐車料金以上の残高が無線ＩＤカードのメモリに記録されているか否かを判定し、積算駐車料金に対する不足分を駐車場利用者へ告知する。
【００３０】
本発明の請求項１に記載の時間貸有料駐車場においては、駐車場利用者が事前精算機に対して現金を投入すると、事前精算機が事前精算完了記録を無線ＩＤカードのメモリに書き込む。
【００３１】
また、本発明の請求項２に記載の時間貸有料駐車場においては、駐車場利用者が事前精算機に対して現金を投入すると、事前精算機が積算駐車料金に対する不足分を収受して収受料金を加えた残高記録を無線ＩＤカードのメモリに書き込む。
【００３２】
本発明の請求項３に記載の時間貸有料駐車場においては、駐車場利用者が事前精算機に対して料金免除券を投入すると、事前精算機が、料金免除券に応じた事前精算完了記録を無線ＩＤカードのメモリに書き込む。
【００３３】
本発明の請求項１、２に記載の時間貸有料駐車場においては、駐車場利用者が事前精算機に対して未使用の他の無線ＩＤカードを差し出すと、事前精算機が、新たに差し出す他の無線ＩＤカードから現時点での積算駐車料金に対する不足分を収受して当該無線ＩＤカードのメモリに現時点での積算駐車料金の不足分を差し引いた残高記録を書き込み且つ事前精算完了記録を先に差し出されている無線ＩＤカードのメモリに書き込む。
【００３４】
【発明の実施の形態】
以下、本発明の実施の形態を図面に基づいて説明する。
【００３５】
図１は本発明の時間貸有料駐車場の実施の形態の一例を示すもので、図中、図２と同一の符号を付した部分は同一物を表している。
【００３６】
この時間貸有料駐車場では、駐車場利用者２１が駐車場へ出入りするための利用者通路２２に、事前精算機２３を設置している。
【００３７】
事前精算機２３は、駐車場利用者２１が携帯の無線ＩＤカード１９に対する精算用アンテナ２４と、駐車場利用者２１に対して現金の授受を行う現金授受手段２５と、駐車場と提携する店舗より駐車場利用者２１へ渡されるサービス券などの料金免除券（図示せず）を受領する免除券受領手段２６と、表示入力兼用のタッチセンサ方式の操作パネル２７と、精算料金収受制御器２８とを備えている。
【００３８】
精算料金収受制御器２８は、無線ＩＤカード１９のメモリに記録されている入場時刻及び残高と、現金授受手段２５、免除券受領手段２６、操作パネル２７のそれぞれからの出力信号とに基づき、駐車場利用者２１に対する告知、並びに駐車料金の精算を行うように構成されている。
【００３９】
なお、駐車場に入場しようとする車両２０、あるいは駐車場から出場しようとする車両２０に車載の無線ＩＤカード１９のメモリに対する種々の記録の読み取り及び書き込みは、図２に示す時間貸駐車場と同様に行われる。
【００４０】
図１に示す時間貸駐車場では、駐車場利用者２１が、利用者通路２２を経て駐車場に入場させた車両２０へ戻る際に、該車両２０の入場時に用いた無線ＩＤカード１９を事前精算機２３の精算用アンテナ２４に対峙させると、精算料金収受制御器２８が精算用アンテナ２４を介して無線ＩＤカード１９のメモリを読み取り、車両入場時刻から現時点までの積算駐車料金以上の残高がメモリに記録されているか否かを判定する。
【００４１】
駐車場利用者２１が差し出した無線ＩＤカード１９のメモリに上記の条件に相当する残高が記録されている場合には、精算料金収受制御器２８が操作パネル２７の文字表示、あるいは音声告知機能を介して、精算の必要がないことを告知し、また、料金免除券を使用するか否かの選択を駐車場利用者２１に促す。
【００４２】
駐車場利用者２１が操作パネル２７を操作して料金免除券を使用することを選択した場合には、操作パネル２７により免除券受領手段２６へ料金免除券を挿入することが駐車場利用者２１に促される。
【００４３】
免除券受領手段２６に料金免除券が挿入されると、無線ＩＤカード１９を精算用アンテナ２４に対峙させるようにすることが、操作パネル２７によって駐車場利用者２１に促され、精算料金収受制御器２８が精算用アンテナ２４を介して、料金免除券に応じた日時などのデータを含む事前精算完了記録を無線ＩＤカード１９のメモリに書き込み、これにより、駐車場利用者２１に対する料金減免が図られることになる。
【００４４】
無線ＩＤカード１９のメモリに積算駐車料金以上の残高が記録されていない場合には、精算料金収受制御器２８が操作パネル２７の文字表示機能、あるいは音声告知機能を介して、精算の必要があること、及び積算駐車料金の不足分を告知し、現金と未使用の他の無線ＩＤカード１９とのいずれにより精算を行うのか、また、料金免除券を使用するか否かの選択を駐車場利用者２１に促す。
【００４５】
駐車場利用者２１が操作パネル２７を操作して現金で精算を行うことを選択した場合には、操作パネル２７により現金授受手段２５へ現金を投入することが駐車場利用者２１に促される。
【００４６】
現金授受手段２５に現金が投入されると、精算料金収受制御器２８が投入金額が積算駐車料金に対する不足分を満たしているか否かを判定する。
【００４７】
投入金額が積算駐車料金に対する不足分を満たしていると、無線ＩＤカード１９を精算用アンテナ２４に対峙させるようにすることが、操作パネル２７により駐車場利用者２１に促される。
【００４８】
無線ＩＤカード１９を精算用アンテナ２４に対峙させると、精算料金収受制御器２８が精算用アンテナ２４を介して、積算駐車料金に対する不足分を加えた残高記録を無線ＩＤカード１９のメモリに書き込む。
【００４９】
次いで、精算が完了したことが、操作パネル２７によって駐車場利用者２１に告知され、また、現金授受手段２５に投入された現金の金額が、積算駐車料金の不足分を超過している場合には、当該超過分が現金授受手段２５から駐車場利用者へ現金で返却される。
【００５０】
これにより、無線ＩＤカード１９が車載される車両２０は、出場側アンテナ７を介して駐車料金収受制御器１０が、無線ＩＤカード１９の事前精算完了記録を認識することによって、出場ゲート６に阻止されることなく無停車で駐車場外へ出場可能な状態になる。
【００５１】
駐車場利用者２１が操作パネル２７を操作して未使用の他の無線ＩＤカード１９で精算を行うことを選択した場合には、操作パネル２７により未使用の他の無線ＩＤカード１９を精算用アンテナ２４に対峙させることが駐車場利用者２１に促される。
【００５２】
未使用の他の無線ＩＤカード１９を精算用アンテナ２４に対峙させると、精算料金収受制御器２８が精算用アンテナ２４を介して、未使用の他の無線ＩＤカード１９のメモリに積算駐車料金に対する不足分を差し引いた残高記録を書き込むとともに、先に精算用アンテナ２４に対峙させた入場時刻が記録されてる無線ＩＤカード１９を再び精算用アンテナ２４に対峙させるようにすることが、操作パネル２７により駐車場利用者２１に促される。
【００５３】
入場時刻が記録されている無線ＩＤカード１９を精算用アンテナ２４に対峙させると、精算料金収受制御器２８が精算用アンテナ２４を介して、日時などのデータを含む事前精算完了記録を無線ＩＤカード１９のメモリに書き込む。
【００５４】
次いで、精算が完了したことが、操作パネル２７によって駐車場利用者２１に告知される。
【００５５】
これにより、無線ＩＤカード１９が車載される車両２０は、出場側アンテナ７を介して駐車料金収受制御器１０が、無線ＩＤカード１９の事前精算完了記録を認識することによって、出場ゲート６に阻止されることなく無停車で駐車場外へ出場可能な状態になる。
【００５６】
駐車場利用者２１が操作パネル２７を操作して料金免除券を使用することを選択した場合には、操作パネル２７により免除券受領手段２６へ料金免除券を挿入することが駐車場利用者２１に促される。
【００５７】
免除券受領手段２６に料金免除券が挿入されると、無線ＩＤカード１９を精算用アンテナ２４に対峙させるようにすることが、操作パネル２７によって駐車場利用者２１に促され、精算料金収受制御器２８が精算用アンテナ２４を介して、料金免除券に応じた日時のデータを含む事前精算完了記録を無線ＩＤカード１９のメモリに書き込む。
【００５８】
次いで、精算が完了したことが、操作パネル２７によって駐車場利用者２１に告知される。
【００５９】
このように、図１に示す時間貸有料駐車場においては、駐車場利用者２１が精算用アンテナ２４に無線ＩＤカード１９を対峙させると、精算料金収受制御器２８が、現時点までの積算駐車料金以上の残高が無線ＩＤカード１９のメモリに記録されているか否かを判定し、積算駐車料金に対する不足分を操作パネル２７を介して駐車場利用者２１へ告知するので、無線ＩＤカード１９のメモリの残高記録が積算駐車料金を満たしているか否かを、駐車場利用者２１が確認することができる。
【００６０】
また、利用者通路２２で無線ＩＤカード１９の精算を行うので、駐車料金の不足分の収受に起因した車両出場通路５における車両２０の停止が解消され、無線ＩＤカード１９の利点を充分に活用することが可能になる。
【００６１】
なお、本発明の時間貸有料駐車場は、上述した実施の形態のみに限定されるものではなく、積算駐車料金に対する不足分を現金で収受して事前精算完了記録を無線ＩＤカードに書き込む機能に替えて、積算駐車料金に対する不足分を現金で収受して収受料金を加えた残高記録を無線ＩＤカードに書き込む機能を、事前精算機に具備させるようにすること、その他、本発明の要旨を逸脱しない範囲内において変更を加え得ることは勿論である。
【００６２】
【発明の効果】
以上述べたように、本発明の時間貸有料駐車場によれば、下記のような種々の優れた効果を奏し得る。
【００６３】
（１）本発明の請求項１乃至請求項４に記載の時間貸有料駐車場のいずれにおいても、駐車場利用者が事前精算機に対して無線ＩＤカードを差し出すと、事前精算機が、入場時刻から現時点までの積算駐車料金以上の残高が無線ＩＤカードのメモリに記録されているか否かを判定し、積算駐車料金に対する不足分を駐車場利用者へ告知するので、無線ＩＤカードのメモリの残高記録が積算駐車料金を満たしているか否かを、駐車場利用者が確認することができる。
【００６４】
（２）本発明の請求項１に記載の時間貸有料駐車場においては、駐車場利用者が事前精算機に対して現金を投入すると、事前精算機が、積算駐車料金に対する不足分を収受して事前精算完了記録を無線ＩＤカードのメモリに書き込むので、駐車料金不足分の収受に起因した車両出場通路における車両の停止が解消され、無線ＩＤカードの利点を充分に活用することが可能になる。
【００６５】
（３）本発明の請求項２に記載の時間貸有料駐車場においては、駐車場利用者が事前精算機に対して現金を投入すると、事前精算機が、積算駐車料金に対する不足分を収受して収受料金を加えた残高記録を無線ＩＤカードのメモリに書き込むので、積算駐車料金の不足分の収受に起因した車両出場通路における車両の停止が解消され、無線ＩＤカードの利点を充分に活用することが可能になる。
【００６６】
（４）本発明の請求項３に記載の時間貸有料駐車場においては、駐車場利用者が事前精算機に対して料金免除券を投入すると、事前精算機が、料金免除券に応じた事前精算完了記録を無線ＩＤカードのメモリに書き込むので、無線ＩＤカードの精算を、料金免除券によっても行うことができる。
【００６７】
（５）本発明の請求項１、２に記載の時間貸有料駐車場においては、駐車場利用者が事前精算機に対して未使用の他の無線ＩＤカードを差し出すと、事前精算機が、新たに差し出す他の無線ＩＤカードから現時点での積算駐車料金に対する不足分を収受して、事前精算完了記録を先に差し出されている無線ＩＤカードのメモリに書き込むので、無線ＩＤカードが車載される車両を無停車で駐車場外へ出場させることができ、また、残高が不足している無線ＩＤカードの精算を、他の無線ＩＤカードによっても行うことができる。
【図面の簡単な説明】
【図１】本発明の時間貸有料駐車場の実施の形態の一例を示す概念図である。
【図２】近年提案されている無線ＩＤカードを用いた時間貸有料駐車場の一例を示す概念図である。
【符号の説明】
８    出場精算機
１０  駐車料金収受制御器
１９  無線ＩＤカード
２０  車両
２１  駐車場利用者
２２  利用者通路
２３  事前精算機
【図１】
0004167759.tif 000002
【図２】
0004167759.tif 000003